(57)【要約】【課題】化粧体を備える構造物の縁端角部に曲面を有する化粧体を備える構造物の作製を安価に実現して、人体又は物品等が衝撃的に化粧体を備える構造物の縁端角部に接触することによる人体又は物品等の損傷を防止すると共に、外観に美観が生じる化粧体を備える構造物を提供する。【解決手段】基体、及び基体の表面を化粧する化粧体を備える構造物であり、基体の表面に曲面部を有する曲面体が設けられていると共に、該曲面体の曲面部に対応する化粧体の裏面に前記曲面部に沿うように屈曲可能に凹部が形成されていることを特徴とする化粧体を備える構造物。【選択図】図３
2008156932.tif 000002
【特許請求の範囲】
【請求項１】
基体、及び基体の表面を化粧する化粧体を備える構造物であり、基体の表面に曲面部を有する曲面体が設けられていると共に、該曲面体の曲面部に対応する化粧体の裏面に前記曲面部に沿うように屈曲可能に凹部が形成されていることを特徴とする化粧体を備える構造物。
【請求項２】
前記曲面体は丸棒であることを特徴とする請求項１に記載の化粧体を備える構造物。
【請求項３】
前記化粧体は、裏面を形成する基部、及び表面を形成する熱硬化性樹脂を有する化粧部を備えることを特徴とする請求項１又は２に記載の化粧体を備える構造物。
【請求項４】
請求項１〜３の何れか１項に記載の化粧体を備える構造物であって、前記曲面体がドアパネルの縁端部に設けられていることを特徴とするドアパネル。
【請求項５】
請求項１〜３の何れか１項に記載の化粧体を備える構造物であって、前記曲面体が小扉の縁端部に設けられていることを特徴とする小扉。
【発明の詳細な説明】
【技術分野】
【０００１】
本発明は、基体、及び基体の表面を化粧する化粧体を備える構造物、並びにドアパネル及び小扉に関する。
【背景技術】
【０００２】
従来、図１０に示すように、一対の竪框１０４及び一対の横桟１０６を組み合せてなる骨組芯材１０２、並びに骨組芯材１０２の表裏面に貼り付ける一対の表面板１０８を備えるドアパネル１００（フラッシュドア）が知られている（特許文献１参照）。尚、ドアパネル１００の端面（骨組芯材１０２の竪框１０４及び横桟１０６や表面板１０８端面の表出部分）及び表裏面には、図示しない化粧シートが貼り付けられている。
【０００３】
【特許文献１】特開平０８−０４２０９７号公報
【発明の開示】
【発明が解決しようとする課題】
【０００４】
しかしながら、上記従来技術では、ドアパネルの表裏面を形成する表面板の縁端角部（ドアパネルの縁端角部）が直角であり、人体又は物品等が衝撃的にドアパネルの縁端角部に接触すると人体又は物品等に損傷を与えるという問題がある。
【０００５】
また、ドアパネルの縁端角部が直角であり、ドアパネルの外観に美観が生じないという問題がある。
【０００６】
尚、上記従来技術の問題を解決するために、ドアパネルの表裏面を形成する表面板の縁端角部（ドアパネルの縁端角部）が曲面を有するように表面板を形成することが考えられる。しかしながら、ドアパネルの表面における化粧シートの貼り付けは、表面板に関しては、量産性向上のために所望のドアパネルより大きなサイズの板における表裏面の何れか一方の面に化粧シートを貼り付けて化粧合板を作製して、その化粧合板から所望のサイズの表面板を形成することによってなされている。そのため、表面板の縁端角部が曲面を有するように表面板を形成することは実質的に不可能である。
【０００７】
また、所望のドアパネルより大きなサイズの板から所望のサイズの表面板を縁端角部に曲面を有するように形成した後に化粧シートを貼り付けて化粧合板を作製する場合は、所望のサイズの表面板毎に化粧シートを貼り付けなければならず量産性が低下してドアパネルを作製するためのコストが上昇する。
【０００８】
また、上記従来技術の問題を解決するために、ドアパネルの縁端角部が曲面を有するように化粧合板を曲げるように形成してドアパネルの表裏面及び側面を一枚の化粧合板で形成することが考えられる。しかしながら、所定強度が必要である化粧合板を曲げるように形成する場合には、化粧合板の曲面部（ドアパネルの縁端角部）にクラックが発生する。そのため、ドアパネルの縁端角部が曲面を有するように化粧合板を曲げるように形成してドアパネルの表裏面及び側面を一枚の化粧合板で形成することは実質的に不可能である。
【０００９】
そこで、本発明は、上記従来技術の問題を解決するためになされたものであって、その目的とするところは、化粧体を備える構造物の縁端角部に曲面を有する化粧体を備える構造物の作製を安価に実現して、人体又は物品等が衝撃的に化粧体を備える構造物の縁端角部に接触することによる人体又は物品等の損傷を防止すると共に、外観に美観が生じる化粧体を備える構造物を提供することにある。
【課題を解決するための手段】
【００１０】
即ち、本第１の発明は、基体、及び基体の表面を化粧する化粧体を備える構造物であり、基体の表面に曲面部を有する曲面体が設けられていると共に、該曲面体の曲面部に対応する化粧体の裏面に前記曲面部に沿うように屈曲可能に凹部が形成されていることを特徴とする化粧体を備える構造物である。
【００１１】
また、本第２の発明は、前記曲面体は丸棒であることを特徴とする第１の発明に記載の化粧体を備える構造物である。
【００１２】
また、本第３の発明は、前記化粧体は、裏面を形成する基部、及び表面を形成する熱硬化性樹脂を有する化粧部を備えることを特徴とする第１又は２の発明に記載の化粧体を備える構造物である。
【００１３】
また、本第４の発明は、第１〜３の発明の何れか１に記載の化粧体を備える構造物であって、前記曲面体がドアパネルの縁端部に設けられていることを特徴とするドアパネルである。
【００１４】
また、本第５の発明は、第１〜３の発明の何れか１に記載の化粧体を備える構造物であって、前記曲面体が小扉の縁端部に設けられていることを特徴とする小扉である。
【発明の効果】
【００１５】
本第１の発明によれば、本構成を有しない場合に比較して、化粧体を備える構造物の縁端角部に曲面を有する化粧体を備える構造物の作製を安価に実現して、人体又は物品等が衝撃的に化粧体を備える構造物の縁端角部に接触することによる人体又は物品等の損傷を防止すると共に、外観に美観が生じる化粧体を備える構造物を提供することができる。
【００１６】
本第２の発明によれば、本構成を有しない場合に比較して上記効果に加え、更に安価に化粧体を備える構造物の縁端角部に曲面を有する化粧体を備える構造物を作製することができる。
【００１７】
本第３の発明によれば、本構成を有しない場合に比較して上記効果に加え、耐熱性及び耐薬品性に優れて化粧体の表面を保護することができる。
【００１８】
本第４の発明によれば、本構成を有しない場合に比較して、ドアパネルの縁端角部に曲面を有するドアパネルの作製を安価に実現して、人体又は物品等が衝撃的にドアパネルの縁端角部に接触することによる人体又は物品等の損傷を防止すると共に、外観に美観が生じるドアパネルを提供することができる。
【００１９】
本第５の発明によれば、本構成を有しない場合に比較して、小扉の縁端角部に曲面を有する小扉の作製を安価に実現して、人体又は物品等が衝撃的に小扉の縁端角部に接触することによる人体又は物品等の損傷を防止すると共に、外観に美観が生じる小扉を提供することができる。
【発明を実施するための最良の形態】
【００２０】
以下に、本発明の実施形態について図面を参照して説明する。
【００２１】
［第１実施形態］
図１は、本発明に係る化粧体を備える構造物であるドアパネル（フラッシュドア）の本実施形態を示す斜視図である。図２は、図１におけるＩＶ−ＩＶ線断面図である。
【００２２】
ドアパネル１０（フラッシュドア）は、左右に所定間隔で立設されている左竪框１２及び右竪框１４、左竪框１２及び右竪框１４の上端部間に架設されている上横桟１６、並びに左竪框１２及び右竪框１４の下端部間に架設されている下横桟１８から構成されている骨組芯材２０（基体）を有している。左竪框１２、右竪框１４、上横桟１６、及び下横桟１８の素材としては、例えば、天然木材、合板、ＬＶＬ（Ｌａｍｉｎａｔｅｄ  Ｖｅｎｅｅｒ  Ｌｕｍｂｅｒ）、ＭＤＦ（Ｍｅｄｉｕｍ  Ｄｅｎｓｉｔｙ  Ｆｉｂｅｒｂｏａｒｄ）、パーティクルボード、及びハードボード等が挙げられる。尚、骨組芯材２０の左竪框１２における左端面には凹部１２ａが形成されている。
【００２３】
骨組芯材２０の左側面には、ドアパネル１０の左縁端角部に対応する２箇所に曲面部３２を有する曲面体３０が接着等で貼着されている。曲面体３０の素材としては、例えば、天然木材、合板、ＬＶＬ、ＭＤＦ、パーティクルボード、ハードボード、プラスチック、及び金属等が挙げられる。尚、曲面体３０の右端面には、左竪框１２の凹部１２ａに対応する箇所に表裏方向の位置決めをするため左竪框１２の凹部１２ａと嵌合する凸部３０ａが形成されている。
【００２４】
骨組芯材２０の表裏面及び曲面体３０の表出面には、化粧面が外側となるように化粧合板４０（化粧体）が接着等で貼着されている。
【００２５】
図３は、図２における左端部の拡大図である。図４は、化粧合板の展開状態を示す図である。図５は、化粧合板の断面を示す拡大図である。
【００２６】
化粧合板４０には、図３及び図４に示すように、曲面体３０の曲面部３２に対応する裏面に曲面部３０に沿うように屈曲可能に凹部４２が形成されている。凹部４２における表裏面間の厚さ（Ｔ）は、例えば０．３ｍｍである。尚、曲面体３０の曲面部３２の半径（Ｒ）は、例えば３ｍｍである。
【００２７】
化粧合板４０は、図５に示すように、裏面を形成する基部４４、及び表面を形成する熱硬化性樹脂を有する化粧部４６から構成されている。化粧合板４０は、例えば、基部４４に化粧部４６が貼り付けられて形成される。基部４４の素材としては、例えば、天然木材、合板、ＬＶＬ、ＭＤＦ、パーティクルボード、及びハードボード等が挙げられる。化粧部４６は、例えば、化粧紙の表面を熱硬化性樹脂で被覆して形成される。尚、熱硬化性樹脂としては、例えば、不飽和ポリエステル樹脂、ジアレルフタレート樹脂、フェノール樹脂、エポキシ樹脂、メラミン樹脂、ユリア樹脂、アルキド樹脂、ポリウレタン、及びポリイミド等が挙げられる。
【００２８】
尚、本発明で適用される化粧合板（化粧体）は、上記化粧合板４０に限定されるものではなく、天然木化粧合板又は特殊加工化粧合板（プリント合板、合成樹脂化粧合板、オレフィン樹脂化粧合板、及び塩化ビニル樹脂化粧合板等）であればよい。
【００２９】
尚、骨組芯材２０の内側空間には、例えば、薄板紙等で構成されたハニカムコア、又は複数の横桟等が配設される。
【００３０】
以上、第１実施形態によれば、ドアパネル１０が、骨組芯材２０（基体）、及び骨組芯材２０の表面を化粧する化粧合板４０（化粧体）を備える構造物であり、骨組芯材２０の側面に曲面部３２を有する曲面体３０が設けられていると共に、曲面体３０の曲面部３２に対応する化粧合板４０の裏面に曲面部３２に沿うように屈曲可能に凹部４２が形成されているので、本構成を有しない場合に比較して、ドアパネル１０の縁端角部に曲面を有するドアパネル１０の作製を安価に実現して、人体又は物品等が衝撃的にドアパネル１０の縁端角部に接触することによる人体又は物品等の損傷を防止すると共に、外観に美観が生じるドアパネル１０を提供することができる。
【００３１】
また、本実施形態によれば、化粧合板４０は、裏面を形成する基部４４、及び表面を形成する熱硬化性樹脂を有する化粧部４６を備えるので、本構成を有しない場合に比較して、耐熱性及び耐薬品性に優れて化粧合板４０の表面を保護することができる。
【００３２】
［第２実施形態］
次に、本発明に係る化粧体を備える構造物であるドアパネルの第２実施形態について説明する。尚、本実施形態において、第１実施形態に示す構成と同一の構成については、同一符号を付すことでその説明を省略する。
【００３３】
図６は、本発明に係る化粧体を備える構造物であるドアパネル（框立てドア）の本実施形態を示す斜視図である。図７は、図６におけるＶ−Ｖ線断面図である。
【００３４】
ドアパネル５０（框立てドア）は、左右に所定間隔で立設されている左竪框５２及び右竪框５４、左竪框５２及び右竪框５４の上端部間に架設されている上横桟５６、並びに左竪框５２及び右竪框５４の下端部間に架設されている下横桟５８から構成されている。左竪框５２及び右竪框５４と上横桟５６及び下横桟５８とは、例えば、だぼ接合工法、又はほぞ接合工法等で接合される。
【００３５】
左竪框５２は、左竪框本体５２Ａ（基体）、曲面体３０、及び化粧合板６０（化粧体）から構成されている。左竪框本体５２Ａは、第１実施形態における左竪框１２に相当するものである。左竪框本体５２Ａの左右側面には、左竪框５２の左右縁端角部に対応する４箇所に曲面部３２を有する２個の曲面体３０が接着等で貼着されている。左竪框本体５２Ａの表裏面及び曲面体３０の表出面には、化粧面が外側となるように化粧合板６０（化粧体）が接着等で貼着されている。尚、左竪框本体５２Ａの左右端面には、曲面体３０の凸部３２ａと嵌合する凹部５２ａ，５２ｂが形成されている。
【００３６】
右竪框５４は、右竪框本体５４Ａ（基体）、曲面体３０、及び化粧合板６２（化粧体）から構成されている。右竪框本体５４Ａは、第１実施形態における右竪框１４に相当するものである。右竪框本体５４Ａの左側面には、右竪框５２の左縁端角部に対応する２箇所に曲面部３２を有する曲面体３０が接着等で貼着されている。右竪框本体５４Ａの表裏面及び曲面体３０の表出面には、化粧面が外側となるように化粧合板６２（化粧体）が接着等で貼着されている。尚、右竪框本体５４Ａの左端面には、曲面体３０の凸部３２ａと嵌合する凹部５４ａが形成されている。
【００３７】
化粧合板６０，６２は、第１実施形態における化粧合板４０に相当するものである。
【００３８】
尚、ドアパネル５０の内側空間には、例えば、ガラス、又は各種素材で形成されているパネル等が配設される。
【００３９】
以上、第２実施形態によれば、第１実施形態と同様に、ドアパネル５０が、左竪框本体５２Ａ（基体）及び右竪框本体５４Ａ（基体）、並びに左竪框本体５２Ａ及び右竪框本体５４Ａの表面を化粧する化粧合板６０，６２（化粧体）を備える構造物であり、左竪框本体５２Ａ及び右竪框本体５４Ａの側面に曲面部３２を有する曲面体３０が設けられていると共に、曲面体３０の曲面部３２に対応する化粧合板６０，６２の裏面に曲面部３２に沿うように屈曲可能に凹部４２が形成されているので、本構成を有しない場合に比較して、ドアパネル５０の縁端角部に曲面を有するドアパネル５０の作製を安価に実現して、人体又は物品等が衝撃的にドアパネル５０の縁端角部に接触することによる人体又は物品等の損傷を防止すると共に、外観に美観が生じるドアパネル５０を提供することができる。
【００４０】
また、本実施形態によれば、第１実施形態と同様に、化粧合板６０，６２は、裏面を形成する基部４４、及び表面を形成する熱硬化性樹脂を有する化粧部４６を備えるので、本構成を有しない場合に比較して、耐熱性及び耐薬品性に優れて化粧合板６０，６２の表面を保護することができる。
【００４１】
［第３実施形態］
次に、本発明に係る化粧体を備える構造物であるドアパネルの第３実施形態について説明する。尚、本実施形態において、第１実施形態に示す構成と同一の構成については、同一符号を付すことでその説明を省略する。
【００４２】
図８は、本実施形態に係るドアパネル（フラッシュドア）の横断面における左端部の拡大図である。
【００４３】
ドアパネル７０（フラッシュドア）は、ドアパネル１０における曲面体３０を２本の丸棒６０としたものである。２本の丸棒８０は、ドアパネル７０における左縁端角部に配設されている。丸棒８０の素材としては、例えば、天然板材、合板、ＬＶＬ、ＭＤＦ、パーティクルボード、ハードボード、プラスチック、及び金属等が挙げられる。丸棒の半径（Ｒ）は、例えば３ｍｍである。
【００４４】
尚、本実施形態における骨組芯材２０の左竪框１２における凹部１２ａは省略されている。
【００４５】
また、本実施形態の丸棒８０は、第１実施形態のドアパネル１０に適用されるのと同様に、第２実施形態のドアパネル５０に適用することができる。
【００４６】
本実施形態によれば、第１実施形態の曲面体３０が丸棒６０であるため、本構成を有しない場合に比較して第１又は２実施形態の効果に加え、更に安価にドアパネル７０の縁端角部に曲面を有するドアパネル７０を作製することができる。
【実施例】
【００４７】
次に、本発明の実施例について図面を参照して説明する。
【００４８】
図９は、本発明の実施例を示す図である。本実施例は、本発明に係るドアパネル１０をドア枠９０に取り付けたものである。
【００４９】
ドア枠９０には、ドアパネル１０の回転を止めるための戸当り９２がドア枠９０の右端面から突出して形成されている。ドア枠９０の右端面から突出している戸当り９２の高さ（Ａ）は、例えば１２ｍｍである。
【００５０】
ドア枠９０の右端面とドアパネル１０との間には隙間（Ｂ）が設けられている。隙間（Ｂ）は、例えば４ｍｍである。
【００５１】
ドアパネル１０の左側面には、錠前のフロントを埋設するための凹部９４が形成されている。凹部９４の幅（Ｃ）は、例えば２５ｍｍである。
【００５２】
尚、ドアパネル１０の幅（Ｄ）は、例えば３６ｍｍである。
【００５３】
ドアパネル１０における曲面体３０の曲面部３２の半径（Ｒ）は、次の２式が満たされるように決定される。
Ｒ＜Ａ−Ｂ          …（１）
Ｒ＜（Ｄ−Ｃ）÷２  …（２）
【００５４】
尚、本発明は上記実施形態及び実施例に限定されるものではなく、本発明の要旨の範囲内において種々の変形実施が可能である。
【００５５】
特に、上記実施形態における、ドアパネルが、基体、及び基体の表面を化粧する化粧体を備える構造物であり、基体の表面に曲面部を有する曲面体が設けられていると共に、曲面体の曲面部に対応する化粧体の裏面に曲面部に沿うように屈曲可能に凹部が形成されている構成は、建具及び家具等に用いられる小扉に適用することができる。
【図面の簡単な説明】
【００５６】
【図１】図１は、本発明に係る化粧体を備える構造物であるドアパネル（フラッシュドア）の第１実施形態を示す斜視図である。
【図２】図２は、図１におけるＩＶ−ＩＶ線断面図である。
【図３】図３は、図２における左端部の拡大図である。
【図４】図４は、化粧合板の展開状態を示す図である。
【図５】図５は、化粧合板の断面を示す拡大図である。
【図６】図６は、本発明に係る化粧体を備える構造物であるドアパネル（框立てドア）の第２実施形態を示す斜視図である。
【図７】図７は、図６におけるＶ−Ｖ線断面図である。
【図８】図８は、第３実施形態に係るドアパネル（フラッシュドア）の横断面における左端部の拡大図である。
【図９】図９は、本発明の実施例を示す図である。
【図１０】図１０は、従来のドアパネル（フラッシュドア）を示す斜視図である。
【符号の説明】
【００５７】
１０，５０，７０：ドアパネル、２０：骨組芯材（基体）、５２Ａ：左竪框本体（基体）、５４Ａ：右竪框本体（基体）、３０：曲面体、３２：曲面部、４０，６０，６２：化粧合板（化粧体）、４２：凹部、４４：基部、４６：化粧部、８０：丸棒
【図１】
2008156932.tif 000003
【図２】
2008156932.tif 000004
【図３】
2008156932.tif 000005
【図４】
2008156932.tif 000006
【図５】
2008156932.tif 000007
【図６】
2008156932.tif 000008
【図７】
2008156932.tif 000009
【図８】
2008156932.tif 000010
【図９】
2008156932.tif 000011
【図１０】
2008156932.tif 000012